(57)【要約】【課題】発光効率を向上できるようにする。【解決手段】波長変換部材１０Ａは、半導体発光素子１１からの光をより長波長の光に変換する蛍光体層１２と、蛍光体層１２の発光波長の光を透過する保持材１３とを備えている。保持材１３は、蛍光体層の側面を取り囲むように配置されている。【選択図】図１
2016154063.tif 000002
【特許請求の範囲】
【請求項１】
半導体発光素子からの光をより長波長の光に変換する蛍光体層と、
前記蛍光体層の発光波長の光を透過する保持材と、を備え、
前記保持材が、前記蛍光体層の側面を取り囲むように配置された、波長変換部材。
【請求項２】
前記蛍光体層の発光波長の光を反射する反射層をさらに備えた、請求項１に記載の波長変換部材。
【請求項３】
前記反射層が、前記蛍光体層の底部に接触するように配置された、請求項２に記載の波長変換部材。
【請求項４】
前記反射層が、前記保持材の側面を囲むように配置された、請求項２に記載の波長変換部材。
【請求項５】
前記蛍光体層が、蛍光体粉体と、結着材料とを含む、請求項１〜４のいずれか１項に記載の波長変換部材。
【請求項６】
前記蛍光体層における前記保持材と接触する面の面積が、前記保持材と接触しない面の面積よりも大きい、請求項１〜５のいずれか１項に記載の波長変換部材。
【請求項７】
前記保持材が、無機材料から構成されている請求項１〜６のいずれか１項に記載の波長変換部材。
【請求項８】
半導体発光素子と、請求項１〜７のいずれか１項に記載の波長変換部材とを備えている光源。
【請求項９】
半導体発光素子と、ミラーと、請求項１〜７のいずれか１項に記載の波長変換部材とを備えているランプ。
【請求項１０】
前記波長変換部材の一部が前記ミラーと接触している、請求項９に記載のランプ。
【発明の詳細な説明】
【技術分野】
【０００１】
本発明は、波長変換部材、光源、及びランプに関する。
【背景技術】
【０００２】
従来、半導体レーザ素子と、半導体レーザ素子から射出されたレーザ光により発光する発光部と、発光部と対向する発光部対向面を有し、発光部対向面を通して発光部の熱を受け取る熱伝導部材と、発光部と発光部対向面との間に設けられ、発光部の熱を発光部対向面に伝導させる間隙層とを備え、間隙層が、少なくとも無機非晶質材料を含んでいるヘッドランプがある（例えば、特許文献１を参照。）。
【先行技術文献】
【特許文献】
【０００３】
【特許文献１】特開２０１３−４４７９号公報
【発明の概要】
【発明が解決しようとする課題】
【０００４】
しかしながら、従来の技術には、発光効率又は信頼性のさらなる向上が求められている。
【０００５】
本開示の課題は、発光効率及び信頼性の少なくとも一方を向上させることである。
【課題を解決するための手段】
【０００６】
本開示の一態様に係る波長変換部材は、半導体発光素子からの光をより長波長の光に波長変換する蛍光体層と、蛍光体層の発光波長の光を透過する保持材とを備え、保持材が、蛍光体層の側面を取り囲むように配置されている。
【発明の効果】
【０００７】
本開示の波長変換部材によれば、発光効率及び信頼性の少なくとも一方を向上させることができる。
【図面の簡単な説明】
【０００８】
【図１】一実施形態に係る光源を示す概略図である。
【図２】一実施形態に係る光源の変形例を示す概略図である。
【図３】一実施形態に係る光源の変形例を示す概略図である。
【図４】一実施形態に係るランプを示す概略図である。
【図５】一実施形態に係るランプの変形例を示す概略図である。
【図６】一実施形態に係るランプの変形例を示す概略図である。
【図７】一実施形態に係るランプの変形例を示す概略図である。
【図８】一実施形態に係る車両を示す概略図である。
【図９】一実施例の波長変換部材を示す概略図である。
【図１０】一実施例の解析方法を説明するための図である。
【図１１】一実施例の解析結果を示す図である。
【図１２】一実施例における保持材のサイズと温度との関係を示すグラフである。
【図１３】一実施例における保持材と蛍光体層との面積比と温度との関係を示すグラフである。
【図１４】一実施例における保持材の膜厚と温度との関係を示すグラフである。
【図１５】一実施例における保持材と蛍光体層との膜厚比と温度との関係を示すグラフである。
【図１６】一実施例における保持材と蛍光体層との体積比と温度との関係を示すグラフである。
【発明を実施するための形態】
【０００９】
本開示の第１の側面に係る波長変換部材は、半導体発光素子からの光をより長波長の光に波長変換する蛍光体層と、蛍光体層の発光波長の光を透過する保持材と、を備え、保持材が、蛍光体層の側面を取り囲むように配置されている。
【００１０】
本開示の第２の側面に係る波長変換部材は、第１の側面に係る波長変換部材において、蛍光体層の発光波長の光を反射する反射層をさらに備えていてもよい。
【００１１】
本開示の第３の側面に係る波長変換部材は、第２の側面に係る波長変換部材において、反射層が、蛍光体層の底部に接触するように配置されていてもよい。
【００１２】
本開示の第４の側面に係る波長変換部材は、第２の側面に係る波長変換部材において、反射層が、保持材の側面を取り囲むように配置されていてもよい。
【００１３】
本開示の第５の側面に係る波長変換部材は、第１〜４のいずれかの側面に係る波長変換部材において、蛍光体層が、蛍光体粉体と、結着材料とを含んでいてもよい。
【００１４】
本開示の第６の側面に係る波長変換部材は、第１〜５のいずれかの側面に係る波長変換部材において、蛍光体層における保持材に接触する面の面積が、保持材に接触しない面の面積より大きくてもよい。
【００１５】
本開示の第７の側面に係る波長変換部材は、第１〜６のいずれかの側面に係る波長変換部材において、保持材が、無機材料から構成されていてもよい。
【００１６】
本開示の第８の側面に係る光源は、半導体発光素子と、本開示の第１〜７のいずれかの側面に係る波長変換部材とを備えている。
【００１７】
本開示の第９の側面に係るランプは、半導体発光素子と、ミラーと、本開示の第１〜７のいずれかの側面に係る波長変換部材とを備えている。
【００１８】
本開示の第１０の側面に係るランプは、第９の側面に係るランプにおいて、波長変換部材の一部がミラーと接触していてもよい。
【００１９】
（一実施形態）
図１は、一実施形態に係る光源２０Ａの概略構成を示している。本実施形態の光源２０Ａは、波長変換部材１０Ａと、半導体発光素子１１とを備えている。半導体発光素子１１は、例えば、発光ダイオード（ＬＥＤ）、スーパールミネッセントダイオード（ＳＬＤ）又はレーザダイオード（ＬＤ）とすることができる。本実施形態では、一例として半導体発光素子１１がＬＤである場合を説明する。半導体発光素子１１は、一つのＬＤであってもよく、複数のＬＤを光学的に結合させたものでもよい。半導体発光素子１１が射出する光は、青紫光であっても、青色光であっても、他の波長の光であってもよい。また、半導体発光素子１１は、複数波長の光を射出してもよい。
【００２０】
本開示において、青紫光とは、ピーク波長が３８０ｎｍ以上４２０ｎｍ以下の光をいい、青色光とは、ピーク波長が４２０ｎｍ以上４８０ｎｍ以下の光をいう。
【００２１】
波長変換部材１０Ａと半導体発光素子１１との間には、半導体発光素子１１の光を波長変換部材１０Ａに導く入射光学系１４が設けられていてもよい。入射光学系１４は、例えば、レンズ、ミラー及びは光ファイバの少なくとも１つを備えていてもよい。
【００２２】
波長変換部材１０Ａは、蛍光体層１２と、蛍光体層１２を保持する保持材１３とを具備する。波長変換部材１０Ａは、例えば、厚い円盤状である。波長変換部材１０Ａは、他の形状であってもよい。例えば波長変換部材１０Ａは、矩形板状又は正方形板状であってもよい。
【００２３】
蛍光体層１２は、例えば、円柱状である。蛍光体層１２は、他の形状であってもよい。例えば蛍光体層１２は、角柱状、矩形板状又は正方形板状上であってもよい。蛍光体層１２は、半導体発光素子１１からの光をより長波長の光に波長変換する。蛍光体層１２は、入射した光により励起され、入射光よりも長波長の蛍光光を発光する蛍光体を含む層であってもよい。蛍光体層１２は、例えば多数の蛍光体の粒子を含む蛍光体粉体と結着材料とを備えていてもよい。蛍光体の種類は、入射光の波長及び必要とする出射光の波長に応じて適宜選択することができる。例えば、半導体発光素子１１が青紫光を射出する場合、蛍光体層１２は、白色光を生成するために、例えば、黄色蛍光体及び青色蛍光体を備えていてもよい。本開示において、黄色蛍光体とは、発光スペクトルのピーク波長が５４０ｎｍ以上５９０ｎｍ以下である蛍光体をいう。また、本開示において、青色蛍光体とは、発光スペクトルのピーク波長が４２０ｎｍ以上４８０ｎｍ以下である蛍光体をいう。また、半導体発光素子１１が青色光を射出する場合、蛍光体層１２は、例えば、黄色蛍光体を含む構成とすることができる。
【００２４】
結着材料は、蛍光体粒子間に配置され、蛍光体粒子を結着する。結着材料は、例えば、無機材料とすることができる。結着材料は、樹脂、ガラス又は透明結晶などの媒体であってもよい。但し、蛍光体層１２は結着材料を含んでいる必要はなく、例えば蛍光体セラミックス等の蛍光体焼結体であってもよい。
【００２５】
本実施形態において、保持材１３は、蛍光体層１２の側面を取り囲むように接して配置されている。本開示において、蛍光体層１２の側面とは、半導体発光素子１１からの光が入射する光入射面を取り囲み、入射面と交差する方向の面をいう。蛍光体層１２における保持材１３と接触する面の面積を、保持材１３と接触しない面の面積よりも大きくしてもよい。例えば、図１に示すような場合には蛍光体層１２の側面の面積を、蛍光体層１２の両端面の面積の和よりも大きくしてもよい。このようにすれば、蛍光体層１２の放熱を促進することができる。保持材１３は、例えば、蛍光体層１２が円柱状の場合には、中心軸が蛍光体層１２の中心軸とほぼ一致し、高さが蛍光体層１２とほぼ等しく、厚い側壁を有する円筒状とすることができる。但し、保持材１３は、他の形状であってもよい。
【００２６】
保持材１３の熱伝導率は４２Ｗ／ｍ℃以上であってもよい。保持材１３は、例えば、無機材料から構成されていてもよい。保持材１３は、樹脂、ガラス又は透明結晶などから構成されるものであってもよい。保持材１３として例えばサファイア基板等を用いることができる。保持材１３は、蛍光体層１２の発光波長の光を透過する。これにより、光取出し効率を向上させることができる。但し、保持材１３は、半導体発光素子１１の発光波長の光を吸収又は反射するものであってもよい。保持材１３が、半導体発光素子１１の発光波長の光を透過する場合には、蛍光体層１２の光入射面を保持材１３が覆っていてもよい。また、保持材１３が半導体発光素子１１の発光波長の光を透過する場合であっても、透過しない場合であっても、蛍光体層１２の光入射面とは反対の面を保持材１３が覆っていてもよい。
【００２７】
次に、本実施形態の光源の動作について説明する。ここでは一例として半導体発光素子１１が青紫色光を射出するＬＤであり、蛍光体層１２が黄色蛍光体と青色蛍光体とを含む場合について説明を行う。半導体発光素子１１から射出された光は、入射光学系１４を通り、波長変換部材１０Ａの蛍光体層１２に入射する。この入射光により、蛍光体層１２の蛍光体が励起されて、蛍光光である黄色光及び青色光を射出する。これらの射出された黄色光及び青色光が混合されて白色光となる。蛍光体は発光する際に発熱する。蛍光体から発生した熱は、蛍光体層１２と保持材１３との接触面から保持材１３側に伝導し、蛍光体の放熱が促進される。
【００２８】
上述したように、本実施形態の波長変換部材１０Ａは、保持材１３が蛍光体層１２の側面を取り囲んでいる。このため、蛍光体の放熱が促進され、発光効率及び信頼性の少なくとも一方が向上する。
【００２９】
上述した波長変換部材１０Ａに代えて、図２に示すように、反射層１５を有する波長変換部材１０Ｂを用いることもできる。
【００３０】
波長変換部材１０Ｂにおいて反射層１５は、蛍光体層１２の底部に接触するように配置されている。本開示において、蛍光体層１２の底部とは、半導体発光素子１１からの光が入射する面と反対側の面をいう。反射層１５の平面形状は、蛍光体層１２の底部の平面形状と同じ形状としてもよい。例えば、蛍光体層１２が円柱状の場合、反射層１５を円盤状としてよい。但し、反射層１５の平面形状が、蛍光体層１２の底部の平面形状と一致していなくてもよい。
【００３１】
次に、波長変換部材１０Ｂを用いた光源２０Ｂの動作を説明する。半導体発光素子１１から射出された光は、入射光学系１４を通り、波長変換部材１０Ｂの蛍光体層１２に入射する。この入射光により、蛍光体層１２の蛍光体が励起されて蛍光光である黄色光及び青色光が射出される。これらの黄色光及び青色光が混合されて白色光となる。波長変換部材１０Ｂにおいては、蛍光体層１２から射出された黄色光及び青色光は反射層１５によって反射される。波長変換部材１０Ｂにおいても波長変換部材１０Ａと同様の効果を得ることができる。
【００３２】
また、上述した波長変換部材１０Ａに代えて、図３に示すように、保持材１３の側面を取り囲むように配置した反射層１６を有する波長変換部材１０Ｃを用いることもできる。本開示において、保持材１３の側面とは、保持材１３における蛍光体層１２と接する面（内側面）と反対側の面（外側面）をいう。反射層１６は、蛍光体層１２の側面を完全に覆っていなくてもよい。
【００３３】
次に、波長変換部材１０Ｃを用いた光源２０Ｃの動作を説明する。半導体発光素子１１から射出された光は、入射光学系１４を通り、波長変換部材１０Ｃの蛍光体層１２に入射する。この入射光により、蛍光体層１２の蛍光体が励起されて黄色光及び青色光が射出される。これらの黄色光及び青色光が混合されて白色光となる。波長変換部材１０Ｃにおいては、蛍光体層１２にから射出された黄色光及び青色光は反射層１６によって反射される。波長変換部材１０Ｃにおいても波長変換部材１０Ａと同様の効果を得ることができる。なお、保持材１３の側面と、蛍光体層１２の底部の両方に反射層を設けてもよい。
【００３４】
本実施形態の光源は、図４に示すようなランプ４０Ａに用いることができる。ランプ４０Ａは、例えば車両用ヘッドランプとすることができ、特殊照明とすることもでき、ヘッドアップディスプレイ又はプロジェクタ用のランプとすることもできる。
【００３５】
ランプ４０Ａは、半導体発光素子１１と波長変換部材１０Ａとの間に設けられたミラー４２を有している。ミラー４２は、波長変換部材１０Ａから光出射方向とは異なる方向に向かう光を反射して光出射方向に向かうようにする。ミラー４２は、例えば凹面鏡とすることができる。ミラー４２は、半導体発光素子１１から波長変換部材１０Ａへ向かう光が透過する透過部４２ａを有する。ミラー４２の光透過部４２ａを除く部分には、アルミニウム（Ａｌ）又は銀（Ａｇ）等からなる金属膜若しくは表面に保護膜が形成された反射膜が設けられている。半導体発光素子１１から射出された光は、入射光学系１４及び光透過部４２ａを通り、波長変換部材１０Ａの蛍光体層１２に入射する。この入射光により、蛍光体層１２の蛍光体が励起されて黄色光及び青色光が射出される。これらの黄色光及び青色光が混合されて白色光となる。波長変換部材１０Ａにより生成された白色光の一部は、前方（ミラー４２と反対側）に向かい、残部はミラー４２側に向かう。ミラー４２側に向かった白色光は、ミラー４２において反射され前方に向かう。
【００３６】
ランプ４０Ａは、いわゆるリフレクタータイプであってもよく、プロジェクタータイプであってもよい。ミラー４２を含む出射光学系のいずれかの部分に波長カットフィルターを設け、半導体発光素子１１からの青紫光が外部に出射しないように吸収又は反射してもよい。
【００３７】
本実施形態の光源は、図５に示すような、ランプ４０Ｂに用いることもできる。ランプ４０Ｂは、ミラー４２が波長変換部材１０Ａの少なくとも一部と接している。ミラー４２は、波長変換部材１０Ａの外縁部において波長変換部材１０Ａの底面と接していてもよく、波長変換部材１０Ａの側面と接していてもよい。ランプ４０Ｂにおいては、波長カットフィルターを波長変換部材１０Ａの半導体発光素子１１からの光が入射する面と反対側の面（底面）に設けてもよい。
【００３８】
波長変換部材１０Ａに代えて、蛍光体層１２の底部に接触するように配置された反射層１５を有する波長変換部材１０Ｂを用い、図６に示すようなランプ４０Ｃ又は図７に示すようなランプ４０Ｄとしてもよい。ランプ４０Ｃ及び４０Ｄにおいては、蛍光体層１２において生成された白色光は、直接又は反射層１５において反射されてミラー４２に向かい、ミラー４２で反射されて前方に向かう。波長変換部材１０Ｂに代えて、保持材１３の側面を取り囲むように配置した反射層１６を有する波長変換部材１０Ｃを用いることもできる。さらに、蛍光体層１２の底部及び保持材１３の側面の両方に反射層が設けられた波長変換部材を用いることもできる。
【００３９】
本実施形態のランプは、図８に示すように車両８０に用いることができる。車両８０は、ランプ８１と電力供給源８２とを有している。車両８０は、例えばエンジン等の駆動源によって回転駆動される発電機８３を備えていてもよい。発電機８３により生成した電力は、電力供給源８２に蓄えられる。電力供給源８２は、２次電池とすることができる。ランプ８１は、半導体発光素子１１と、波長変換部材１０Ａと、ミラー４２とを有するランプ４０Ａとすることができる。また、本実施形態において示した他のランプを用いることができる。例えば、波長変換部材１０Ａに代えて波長変換部材１０Ｂ又は波長変換部材１０Ｃを有するランプを用いることもできる。車両８０は、例えば、自動車、２輪車又は特殊車両である。さらに、車両８０は、エンジン車、電気車、又はハイブリッド車であってもよい。
【００４０】
以下、実施例を用いて本実施形態の波長変換部材の特性についてさらに詳細に説明する。
【００４１】
（一実施例）
図９は、一実施例の波長変換部材９１の概略構成を示している。本実施例の波長変換部材９１は、サファイア基板である保持材９３の一方の面（上面）に蛍光体層９２が埋め込まれている。蛍光体層９２の大きさを一定とし、保持材９３の大きさを変化させて波長変換部材９１の熱特性をシミュレーション解析した。
【００４２】
蛍光体層９２は、蛍光体としてＹ3Ａｌ5Ｏ12：Ｃｅ（以下、ＹＡＧ）を用い、結着材料としてガラスを用いた。蛍光体層９２は、縦０．４ｍｍ、横０．８ｍｍ、高さ０．１ｍｍで、体積が０．０３２ｍｍ3の直方体とした。蛍光体層９２の半導体発光素子からの光が照射される面（上面）は、縦０．４ｍｍ、横０．８ｍｍで、面積が０．３２ｍｍ2の長方形である。蛍光体層９２の熱伝導率は７．７５Ｗ／ｍ℃、輻射率は０．９、熱伝達係数は１×１０-5Ｗ／ｍｍ2℃とした。
【００４３】
保持材９３は、縦Ｌ、横Ｌ、高さ（膜厚）Ｔsapの直方体とし、Ｌ又はＴsapの値を変化させることにより保持材９３の大きさを変化させた。保持材９３の上面は正方形であり、そのサイズＳsapは、蛍光体層９２の上面も含めて、縦Ｌ、横Ｌである。保持材９３の２０℃における熱伝導率は４２Ｗ／ｍ℃、１００℃における熱伝導率は２５Ｗ／ｍ℃、輻射率は０．０２、熱伝達係数は１×１０-5Ｗ／ｍｍ2℃とした。
【００４４】
この波長変換部材９１に入射パワー５Ｗのレーザ光を照射した場合の熱特性を、保持材９３の縦及び横の長さＬを変えてシミュレーション解析した。本シミュレーションでは、全てヘキサゴナルメッシュで界面の節点を共有した（図１０を参照。）。図１１に示すように、熱は、光が照射された部分から周囲に広がる。
【００４５】
図１２は、保持材９３の高さＴsapを５ｍｍとし、Ｌを変化させた場合における保持材９３のサイズと温度との関係を示すグラフである。図１２において、横軸は保持材９３の上面の一辺の長さＬ（ｍｍ）としている。保持材９３の上面サイズが２５ｍｍ2、１００ｍｍ2、４００ｍｍ2、９００ｍｍ2、１６００ｍｍ2及び３６００ｍｍ2の場合、蛍光体層９２の温度は、それぞれ、８８１℃、４３３℃、２０８℃、１４５℃、１１５℃及び９３℃となった。また、保持材９３の上面サイズが２５ｍｍ2、１００ｍｍ2、４００ｍｍ2、９００ｍｍ2、１６００ｍｍ2及び３６００ｍｍ2の場合、保持材９３の温度は、それぞれ、８１５℃、３６７℃、１４０℃、８１℃、５７℃及び３８℃となった。保持材９３の上面サイズを４００ｍｍ2以上とすることにより、蛍光体層９２及び保持材９３の温度を著しく低減することができる。
【００４６】
図１３は、保持材９３の高さＴsapを５ｍｍとし、Ｌを変化させた場合における保持材９３と蛍光体層９２との面積比と温度との関係を示すグラフである。保持材９３の上面サイズＳsapを蛍光体層９２の上面サイズＳphosで割った値Ｓsap／Ｓphosが７８、３１３、１２５０、２８１３、５０００及び１１２５０場合、蛍光体層９２の温度は、それぞれ、８８１℃、４３３℃、２０８℃、１４５℃、１１５℃及び９３℃となった。また、保持材９３の上面サイズが２５ｍｍ2、１００ｍｍ2、４００ｍｍ2及び９００ｍｍ2の場合、保持材９３の温度は、それぞれ、８１５℃、３６７℃、１４０℃、８１℃、５７℃及び３８℃となった。Ｓsap／Ｓphosを１２５０以下とすることにより、蛍光体層９２及び保持材９３の温度を著しく低減することができる。これにより、発光効率及び信頼性の少なくとも一方を向上させることが可能となる。
【００４７】
図１４は、保持材９３の縦及び横の長さＬを４０ｍｍとし、膜厚Ｔsapを変化させた場合における保持材９３の膜厚Ｔsapと温度との関係を示すグラフである。膜厚Ｔsapが０．５ｍｍ、１．０ｍｍ、２．０ｍｍ、３．０ｍｍ及び５．０ｍｍの場合、蛍光体層９２の温度は、それぞれ、１７０℃、１４２℃、１２８℃、１２２℃及び１１５℃となった。また、膜厚Ｔsapが０．５ｍｍ、１．０ｍｍ、２．０ｍｍ、３．０ｍｍ及び５．０ｍｍの場合、保持材９３の温度は、それぞれ、６１℃、６２℃、６２℃、６０℃及び５７℃となった。保持材９３の厚さを２ｍｍ以上とすることにより、蛍光体層９２の温度を著しく低減することができる。
【００４８】
図１５は、保持材９３の縦及び横の長さＬを４０ｍｍとし、膜厚Ｔsapを変化させた場合における保持材９３と蛍光体層９２との膜厚比と温度との関係を示すグラフである。保持材９３の膜厚Ｔsapを蛍光体層９２の膜厚Ｔphosで割った値Ｔsap／Ｔphosが５０、３０、２０、１０及び５である場合、蛍光体層９２の温度は、それぞれ、１７０℃、１４２℃、１２８℃、１２２℃及び１１５℃となった。また、Ｔsap／Ｔphosが５０、３０、２０、１０及び５である場合、保持材９３の温度は、それぞれ、６１℃、６２℃、６２℃、６０℃及び５７℃となった。Ｔsap／Ｔphosを２０以上とすることにより、蛍光体層９２の温度を著しく低減することができる。
【００４９】
図１６は、保持材９３の縦及び横の長さＬを４０ｍｍとし、膜厚Ｔsapを変化させた場合における保持材９３と蛍光体層９２との体積比と温度との関係を示すグラフである。保持材９３の体積を蛍光体層９２の体積で割った値が２５００００、１５００００、１０００００、５００００及び２５０００である場合、蛍光体層９２の温度は、それぞれ、１７０℃、１４２℃、１２８℃、１２２℃及び１１５℃となった。また、保持材９３の体積を蛍光体層９２の体積で割った値が２５００００、１５００００、１０００００、５００００及び２５０００である場合、保持材９３の温度は、それぞれ、６１℃、６２℃、６２℃、６０℃及び５７℃となった。保持材９３の体積を蛍光体層９２の体積で割った値を１０００００以上とすることにより、蛍光体層９２の温度を著しく低減することができる。これにより、発光効率及び信頼性の少なくとも一方を向上させることが可能となる。
【産業上の利用可能性】
【００５０】
本開示の波長変換部材は、例えば、特殊照明、ヘッドアップディスプレイ、プロジェクタ及び車両用ヘッドランプなどの光源に用いることができる。
【符号の説明】
【００５１】
１０Ａ    波長変換部材
１０Ｂ    波長変換部材
１０Ｃ    波長変換部材
１１      半導体発光素子
１２      蛍光体層
１３      保持材
１４      入射光学系
１５      反射層
１６      反射層
２０Ａ    光源
２０Ｂ    光源
２０Ｃ    光源
４０Ａ      ランプ
４０Ｂ      ランプ
４０Ｃ      ランプ
４０Ｄ      ランプ
４２      ミラー
４２ａ    透過部
８０      車両
８１      ランプ
８２      電力供給源
８３      発電機
９１      波長変換部材
９２      蛍光体層
９３      保持材
【図１】
2016154063.tif 000003
【図２】
2016154063.tif 000004
【図３】
2016154063.tif 000005
【図４】
2016154063.tif 000006
【図５】
2016154063.tif 000007
【図６】
2016154063.tif 000008
【図７】
2016154063.tif 000009
【図８】
2016154063.tif 000010
【図９】
2016154063.tif 000011
【図１２】
2016154063.tif 000012
【図１３】
2016154063.tif 000013
【図１４】
2016154063.tif 000014
【図１５】
2016154063.tif 000015
【図１６】
2016154063.tif 000016
【図１０】
2016154063.tif 000017
【図１１】
2016154063.tif 000018